(57)【要約】【課題】操作者が操作対象に対して操作を行った後に、同一もしくは他の操作対象に対して前回と同じ操作を同じタイミングで行い、それに加え、前回操作時の操作対象の動作との違いを視覚的にわかるようにする。【解決手段】操作者が第１の操作対象１０に対して行った操作の操作内容を操作履歴取得部１１によって取得し、またその時の操作対象の動作を映像取得部１２によって映像で取得し、時刻情報を元に操作履歴と映像を同期記録部１３によって同期させ、記録部１４に記録する。そして、同期再生部１５によって記録部１４に記録された操作履歴と映像を呼び出し、操作履歴再現部１７によって第２の操作対象１８に前回と同じ操作を同じタイミングで行いながら、映像表示部１６によって映像を再生する。これにより、前回操作時の操作対象の動作の映像と前回と同一操作を行なった時の操作対象の動作を比較することが出来る。【選択図】図１
2009253790.tif 000002
【特許請求の範囲】
【請求項１】
操作者が第１の操作対象に行った操作内容を取得する操作履歴取得部と、
前記第１の操作対象を被写体とした映像データを取得する映像取得部と、
前記操作内容と前記映像データを記録可能な記録部と、
時刻情報に基づき、前記操作内容と前記映像データを同期させて前記記録部に記録する同期記録部と、
前記記録部に記録された前記操作内容と前記映像データを読み出す同期再生部と、
前記同期再生部で読み出した操作内容に基づき第２の操作対象に対し操作指示する操作履歴再現部と、
前記同期再生部で読み出した映像データを表示させる映像表示部とを備え、
前記同期再生部は、前記操作履歴再現部に対する操作内容の送信と前記映像表示部に対する映像データの送信を、時刻情報に基づいて同期させて実行する
ことを特徴とする
操作記録同時再生システム。
【請求項２】
操作者が操作対象に行った操作内容を、赤外線の光を利用して間接的に取得する、もしくは、操作機器から直接取得することを特徴とする、請求項１に記載の操作記録同時再生システム。
【請求項３】
ビデオカメラやWEBカメラで操作中の操作対象を撮影して映像を記録する、もしくは、テレビやPCの映像信号を出力する操作対象の場合において、映像信号を直接キャプチャして操作中の操作対象の映像を記録することを特徴とする、請求項１に記載の操作記録同時再生システム。
【請求項４】
操作対象に対して操作履歴を元に、赤外線の光を利用して間接的に操作を再現する、もしくは、操作対象に直接操作をして再現することを特徴とする、請求項１に記載の操作記録同時再生システム。
【発明の詳細な説明】
【技術分野】
【０００１】
本発明は、主にリモコン等の操作者の操作を伴い動作するテレビ等の製品の不具合を検査・解析するために用いられるシステムに関するものである。
【背景技術】
【０００２】
テレビ等の製品の検査特に、製品を操作中に不具合が発生した場合に、その不具合の解析には、不具合発生時の操作内容とその時の製品の動作を明確にすることが不可欠である。従来このような不具合を解析するには、操作対象に対して行なった一連の操作内容を時刻情報とともに操作履歴として記録おき、操作中に不具合が発生した場合に、不具合発生時の操作履歴が示す一連の操作を同じ順序、同じタイミングで行い、不具合の解析のために不具合の再現を行っている。（例えば、特許文献１参照）また、操作対象に対して行なった操作内容を出力画面内に画像として埋め込んで記録し、その映像を再生することで、操作中に不具合が発生した場合に、不具合発生時の操作内容と出力画面とを同時に確認し、不具合の解析を行っている。（例えば、特許文献２参照）
【特許文献１】特開平３−１０２５３６号公報
【特許文献２】特開平１０−１７１８４４号公報
【発明の開示】
【発明が解決しようとする課題】
【０００３】
しかしながら、特許文献１の従来例では、同じ操作を同じタイミングで行うことは可能であるが、操作対象の前回の動作と今回の動作を比較する手段がないため、どちらか一方のみに不具合現象が発生した場合、どのような変化があったのかを確認・証明することが出来ない。また、複雑な不具合現象になると操作者は現象を言葉ではうまく伝えることが出来ない場合があるため、不具合の解析に時間がかかってしまう恐れがある。
【０００４】
また、特許文献２の従来例では、操作を行った時の映像に操作履歴を関連付けて再生しているものであり、実際に操作を行っていない。そのため、操作履歴を見ながら、手動で同じ操作を行ったとしても、タイミングの影響で同じ動作が起こらない可能性がある。
【０００５】
本発明は、上述のような従来の課題を解決することを目的とする。
【課題を解決するための手段】
【０００６】
上記従来の課題を解決するために、本発明は、操作者が操作対象に対して操作を行った後に、同一もしくは他の操作対象に対して前回と同じ操作を同じタイミングで行い、それに加え、前回操作時の操作対象の動作との違いを視覚的にわかるようにするに構成したシステムである。
【０００７】
具体的には、上記従来の課題を解決するために、本発明は、操作者が第１の操作対象に行った操作内容を取得する操作履歴取得部と、前記第１の操作対象を被写体とした映像データを取得する映像取得部と、前記操作内容と前記映像データを記録可能な記録部と、時刻情報に基づき、前記操作内容と前記映像データを同期させて前記記録部に記録する同期記録部と、前記記録部に記録された前記操作内容と前記映像データを読み出す同期再生部と、前記同期再生部で読み出した操作内容に基づき第２の操作対象に対し操作指示する操作履歴再現部と、前記同期再生部で読み出した映像データを表示させる映像表示部とを備え、前記同期再生部は、前記操作履歴再現部に対する操作内容の送信と前記映像表示部に対する映像データの送信を、時刻情報に基づいて同期させて実行することを特徴とする
操作記録同時再生システムである。
【０００８】
本構成によって、前回操作時の操作対象の動作の映像と前回と同一操作を行なった時の操作対象の動作とを同時に確認することが可能となる。
【発明の効果】
【０００９】
本発明によれば、リモコン等の操作を伴い動作するテレビ等の製品の検査を行う際に、操作者が操作対象に対して行った操作を、後に同一もしくは他の操作対象に対して前回と同じ操作を同じタイミングで行い、それに加え、前回操作時の操作対象の動作との違いを視覚的に比較することが出来る。それによって、操作対象を操作中に不具合が発生した場合に、不具合の修正を行った後に、その操作対象に対して不具合発生時と同じ操作を同じタイミングで再現しながら、同時に不具合が発生した時の操作対象の動作を映像で再生することが出来、不具合の修正が確実に行われていること確認することが容易になる。
【発明を実施するための最良の形態】
【００１０】
以下、本発明を実施するための最良の形態について、図面を参照しながら説明する。
【００１１】
（実施の形態）
図１は、本発明の実施の形態の基本構成を示す図である。図１に示すように、操作者が操作を行う対象となる第１の操作対象１０及び第２の操作対象１８と、操作者が第１の操作対象１０に行った操作内容を取得する操作履歴取得部１１と、操作中の操作対象を映像で取得する映像取得部１２と取得した操作履歴と映像を時刻情報により同期させて記録する同期記録部１３と、操作履歴と映像を記録しておく記録部１４と、記録部１４から操作履歴と映像を読み出して時刻情報を元に同期させる同期再生部１５と、第２の操作対象１８に対して操作履歴を再現する操作履歴再現部１７と映像を再生する映像表示部１６を備える。
【００１２】
（実施例）
上記した本発明の実施の形態について、更に詳しく説明すべく、本発明の実施例について図面を参照して説明する。
【００１３】
図２は本発明の一実施例の構成を示す図である。図２において、操作対象であるテレビ２０及び２８、テレビ２０のリモコン受光部の近くに設置され、操作者がリモコンでテレビ２０に対して操作を行った場合に、そのリモコンコードを受信し、操作者が行った操作内容を取得するリモコン受光モジュール２１、テレビ２０の画面を記録するビデオカメラ２２、操作履歴と映像とを時刻情報を元に同期させて記録する同期記録部２３、操作履歴と映像を記録しておく記録部２４、ディスプレイ装置２６で映像を再生させ、操作履歴を元に映像と同期させて操作を再現させる同期再生部２５、映像を表示させるディスプレイ装置２６、操作履歴の内容をリモコンコードに変換し、テレビ２８に発行するリモコン発光モジュール２７により構成されている。
【００１４】
次に、本発明の実施例における動作について説明する。図３は、本発明の実施例における動作の処理フローチャートである。図３（A）は、同期記録の処理フローチャートである。同期記録開始の合図がなされたら（図示せず）、現在時刻の取得を行い（S１０）、ビデオカメラ２２でテレビ２０の画面の記録を開始する（S１１）。操作者がテレビ２０に対して、リモコンで操作を行い、リモコン受光モジュール２１にリモコンコードの受信があった場合（S１２でYES）、操作履歴を記録部２４に記録する（S１３）。操作履歴は、同期記録部２３にて、取得した操作内容と時刻情報を関連付けて記録する。同期記録終了の合図がなされるまで、リモコンコードの受信を繰り返す（S１４→S１２）。同期記録終了の合図がなされたら（S１４でYES）、ビデオカメラ２２での記録を終了し、映像を記録部２４に記録する（S１５）。映像は、映像ファイルのヘッダ部分に記録開始時刻を記録する。
【００１５】
図３（B）は、同期再生の処理フローチャートである。同期再生開始の合図がなされたら（図示せず）、同期再生部２５にて、記録部２４から映像を読み出して、ディスプレイ装置２６で再生する（S２０）。記録部２４から操作履歴を呼び出し（S２１）、再生中に経過時刻を監視して（S２２）、その時刻に操作が行われていたかをチェックし、操作が行われていた場合（S２３でYES）、リモコン発光モジュール２７によりその操作内容のリモコンコードを発行し、テレビ２８に操作を行う（S２４）。同期再生終了の合図がなされるまで、経過時刻の監視を繰り返す（S２５→S２２）。同期再生終了の合図がなされたら（S２５でYES）、ディスプレイ装置２６の映像を停止させる（S２６）。
【００１６】
図４は、本発明の実施例における動作の具体例を模式的に示した図である。操作対象であるテレビ２０に対して操作を行なった際に、その時のテレビ２０の画面の映像と、その時のテレビ２０に対して行われた操作履歴を記録する。後に記録した映像をディスプレイ装置２６で再生しながら、映像を記録した時と同じ操作をテレビ２８に対して再現することで、ディスプレイ装置の映像と操作を行っているテレビ２８の動作とを比較出来るようになっている。
【００１７】
図４を更に説明すると、１２：００：００にテレビ画面の記録をスタートし、１２：００：０１にリモコン操作で電源オン、１２：００：０２にリモコン操作でチャンネルUP、１２：００：０４にリモコン操作でチャンネルUP、１２：００：０５にリモコン操作で番組表の表示がなされる。ビデオカメラ２２とリモコン受光モジュール２１を通じて同期記録部２３により記録部２４には、このときの操作履歴と映像データが記録される。この記録部２４での記録データに基づき、同期再生部２５から映像データをディスプレイ装置２６に表示させるとともに、リモコン発光モジュール２７でのリモコン操作によりテレビ２８が操作される。具体的には、１２：００：００から映像データをディスプレイ装置２６に表示させるとともに、操作履歴に基づき、１２：００：０１に電源オン、１２：００：０２にリモコン操作でチャンネルUP、１２：００：０４にリモコン操作でチャンネルUP、１２：００：０５にリモコン操作で番組表の表示の指示がなされる。
【００１８】
なお、本発明の実施例では、操作対象としてテレビをあげているが、操作を行っている時の操作対象を映像で記録した場合に、映像に変化が見られる操作対象であれば、同等の効果が得られる。また、映像取得手段は、ビデオカメラやWEBカメラ等で映像を記録する方法だけでなく、テレビやPC等の映像信号を直接キャプチャする方法でも同等の効果が得られる。
【産業上の利用可能性】
【００１９】
本発明にかかる操作記録同時再生方法は、テレビ等の製品の検査を行う際に、操作者が操作対象に対して行った操作を、後に同一もしくは他の操作対象に対して前回と同じ操作を同じタイミングで行い、それに加え、前回操作時の操作対象の動作との違いを視覚的に比較することが出来るので、テレビ等の製品の検査における不具合の解析に有用である。
【図面の簡単な説明】
【００２０】
【図１】本発明の実施の形態の基本構成を示す図
【図２】本発明の実施例における構成を示す図
【図３】本発明の実施例おける動作の処理フローチャート
【図４】本発明の実施例における動作の具体例を示す図
【符号の説明】
【００２１】
１０    第１の操作対象
１１    操作履歴取得部
１２    映像取得部
１３    同期記録部
１４    記録部
１５    同期再生部
１６    映像表示部
１７    操作履歴再現部
１８    第２の操作対象
２０    テレビ
２１    リモコン受光モジュール
２２    ビデオカメラ
２３    同期記録部
２４    記録部
２５    同期再生部
２６    ディスプレイ装置
２７    リモコン発光モジュール
２８    テレビ
【図１】
2009253790.tif 000003
【図２】
2009253790.tif 000004
【図３】
2009253790.tif 000005
【図４】
2009253790.tif 000006